(57)【特許請求の範囲】
【請求項１】
受信信号の誤り訂正後のデータを変調し、変調信号を生成する変調部と、
前記変調信号の信号点配置ごとに、その変調信号と同時刻の誤り訂正前の前記受信信号を平均化するとともに、その変調信号と同時刻の未知信号の誤り訂正前の前記受信信号と、その信号点配置の既知信号の誤り訂正前の前記受信信号とを平均化することにより、各信号点配置の変調信号に対する歪を表す歪情報を生成する平均化部と
を備え、
前記平均化部は、前記平均化に際して、前記変調信号の信号点配置ごとに、その変調信号と同時刻の誤り訂正前の前記受信信号のうちの、前記誤り訂正に成功した前記データの誤り訂正前の前記受信信号を用いる
受信装置。
【請求項２】
前記歪情報に基づいて前記受信信号の軟判定を行う軟判定部
をさらに備える
請求項１に記載の受信装置。
【請求項３】
前記歪情報に基づいて、前記誤り訂正に用いられる尤度テーブルを生成する尤度テーブル生成部
をさらに備え、
前記軟判定部は、前記尤度テーブル生成部により生成された前記尤度テーブルを用いて、前記受信信号に対して前記誤り訂正を行い、前記データを生成する
ように構成された
請求項２に記載の受信装置。
【請求項４】
前記歪情報に基づいて前記受信信号の硬判定を行う硬判定部
をさらに備える
請求項１に記載の受信装置。
【請求項５】
前記硬判定部による前記硬判定の結果を用いて、前記受信信号の位相誤差検出を行う位相誤差検出部
をさらに備える
請求項４に記載の受信装置。
【請求項６】
前記硬判定部は、前記歪情報に基づいて、等化処理後の前記受信信号の硬判定を行う
ように構成された
請求項４に記載の受信装置。
【請求項７】
受信装置が、
受信信号の誤り訂正後のデータを変調し、変調信号を生成する変調ステップと、
前記変調信号の信号点配置ごとに、その変調信号と同時刻の誤り訂正前の前記受信信号を平均化するとともに、その変調信号と同時刻の未知信号の誤り訂正前の前記受信信号と、その信号点配置の既知信号の誤り訂正前の前記受信信号とを平均化することにより、各信号点配置の変調信号に対する歪を表す歪情報を生成する歪情報生成ステップと
を含み、
前記歪情報生成ステップでは、前記平均化に際して、前記変調信号の信号点配置ごとに、その変調信号と同時刻の誤り訂正前の前記受信信号のうちの、前記誤り訂正に成功した前記データの誤り訂正前の前記受信信号を用いる
受信方法。
【請求項８】
コンピュータを、
受信信号の誤り訂正後のデータを変調し、変調信号を生成する変調部と、
前記変調信号の信号点配置ごとに、その変調信号と同時刻の誤り訂正前の前記受信信号を平均化するとともに、その変調信号と同時刻の未知信号の誤り訂正前の前記受信信号と、その信号点配置の既知信号の誤り訂正前の前記受信信号とを平均化することにより、各信号点配置の変調信号に対する歪を表す歪情報を生成する平均化部と
を備え、
前記平均化部は、前記平均化に際して、前記変調信号の信号点配置ごとに、その変調信号と同時刻の誤り訂正前の前記受信信号のうちの、前記誤り訂正に成功した前記データの誤り訂正前の前記受信信号を用いる
受信装置として機能させるためのプログラム。
【発明の詳細な説明】
【技術分野】
【０００１】
本開示は、受信装置、受信方法、およびプログラムに関し、特に、データ区間と同一の信号点配置の既知信号を含まない受信信号の歪を補償することができるようにした受信装置、受信方法、およびプログラムに関する。
【背景技術】
【０００２】
衛星デジタルテレビ放送の多値変調方式としては、位相情報のみを使用する、ＱＰＳＫ（Quadrature Phase Shift Keying），８ＰＳＫ（Phase Shift Keying)等のＰＳＫが主に用いられてきた。しかしながら、4k/8k放送への期待から、位相情報に加えて振幅情報も使用する、１６ＡＰＳＫ（Amplitude Phase Shift Keying)，３２ＡＰＳＫ等のＡＰＳＫが用いられようとしている。【０００３】
しかしながら、ＡＰＳＫの受信信号は、衛星中継器の非線形の影響を受けているため、内周円上の信号点に比べ外周円上の信号点は振幅・位相歪を含んでおり、これが、キャリア再生におけるサイクルスリップや、受信特性の劣化の原因となる。【０００４】
このような非線形性の伝送路歪を受信機側で補償する技術の１つが、ARIB STD-B44（非特許文献１）の解説Ａに記載されている。ARIB STD-B44とは、高度広帯域衛星デジタル放送（高度ＢＳ）の伝送規格であり、現在、国内でサービスされているＢＳデジタル放送の伝送規格(ARIB STD-B20)の後継に該当する。【０００５】
ARIB STD-B44における伝送フォーマットでは、ＡＰＳＫ信号に対する非線形歪補償を目的として、データ区間と同一の信号点配置の全ての信号点の信号が、伝送信号点配置信号と呼ばれる既知信号として伝送される。従って、非特許文献１の解説Ａに記載されている技術は、信号点ごとに非線形歪後の伝送信号点配置信号を平均化し、その平均点を各信号点の信号として復調処理やFEC（Forward Error Correction）処理を行うことにより、非線形歪を補償するものである。この技術により、受信性能が向上する。
【先行技術文献】
【非特許文献】
【０００６】
【非特許文献１】http://www.arib.or.jp/english/html/overview/doc/2-STD-B44v1_0.pdf
【発明の概要】
【発明が解決しようとする課題】
【０００７】
しかしながら、DVB（Digital Video Broadcasting）-S2やDVB-S2X等の放送規格では、データ区間と同一の信号点配置の信号が既知信号として伝送されないため、上述した技術を用いることができない。【０００８】
本開示は、このような状況に鑑みてなされたものであり、データ区間と同一の信号点配置の既知信号を含まない受信信号の歪を補償することができるようにするものである。
【課題を解決するための手段】
【０００９】
本開示の一側面の受信装置は、受信信号の誤り訂正後のデータを変調し、変調信号を生成する変調部と、前記変調信号の信号点配置ごとに、その変調信号と同時刻の誤り訂正前の前記受信信号を平均化するとともに、その変調信号と同時刻の未知信号の誤り訂正前の前記受信信号と、その信号点配置の既知信号の誤り訂正前の前記受信信号とを平均化することにより、各信号点配置の変調信号に対する歪を表す歪情報を生成する平均化部とを備え、前記平均化部は、前記平均化に際して、前記変調信号の信号点配置ごとに、その変調信号と同時刻の誤り訂正前の前記受信信号のうちの、前記誤り訂正に成功した前記データの誤り訂正前の前記受信信号を用いる受信装置である。
【００１０】
本開示の一側面の受信方法およびプログラムは、本開示の一側面の受信装置に対応する。【００１１】
本開示の一側面においては、受信信号の誤り訂正後のデータが変調されて、変調信号が生成され、前記変調信号の信号点配置ごとに、その変調信号と同時刻の誤り訂正前の前記受信信号が平均化されるとともに、その変調信号と同時刻の未知信号の誤り訂正前の前記受信信号と、その信号点配置の既知信号の誤り訂正前の前記受信信号とが平均化されることにより、各信号点配置の変調信号に対する歪を表す歪情報が生成される。また、前記平均化に際しては、前記変調信号の信号点配置ごとに、その変調信号と同時刻の誤り訂正前の前記受信信号のうちの、前記誤り訂正に成功した前記データの誤り訂正前の前記受信信号が用いられる。
【発明の効果】
【００１２】
本開示の一側面によれば、信号を受信することができる。また、本開示の一側面によれば、データ区間と同一の信号点配置の既知信号を含まない受信信号の歪を補償することができる。【００１３】
なお、ここに記載された効果は必ずしも限定されるものではなく、本開示中に記載されたいずれかの効果であってもよい。
【図面の簡単な説明】
【００１４】
【図１】衛星中継器の非線形の影響の一例を示す図である。
【図２】図１の衛星中継器装置１２の構成の一例を示すブロック図である。
【図３】図２のＴＷＴＡ４２の出力特性の一例を示す図である。
【図４】送信信号の各信号点のＩＱ平面上の座標位置の一例を示す図である。
【図５】ＴＷＴＡ４２による増幅後の信号の各信号点のＩＱ平面上の座標位置を示す図である。
【図６】ＴＷＴＡ４２による増幅後の信号の各信号点のＩＱ平面上の座標位置を示す図である。
【図７】ARIB STD-B44規格の伝送フォーマットの１フレーム分の送信信号を示す図である。
【図８】伝送信号点配置信号のシンボルの例を示す図である。
【図９】図８の伝送信号点配置信号を用いて受信装置が行う非線形歪の補償を説明する図である。
【図１０】本開示を適用した送受信システムの第１実施の形態の構成例を示すブロック図である。
【図１１】DVB-S2やDVB-S2X規格の伝送フォーマットの１フレーム分の送信信号の一例を示す図である。
【図１２】π／２ＢＰＳＫの各信号点のＩＱ平面上の座標位置を示す図である。
【図１３】DVB-S2X規格の伝送フォーマットの送信信号の変調方式の各信号点のＩＱ平面上の座標位置の一例を示す図である。
【図１４】DVB-S2X規格の伝送フォーマットの送信信号の変調方式の各信号点のＩＱ平面上の座標位置の一例を示す図である。
【図１５】図１０の受信装置１１２の構成例を示すブロック図である。
【図１６】図１５の直交検波部３１２の構成例を示すブロック図である。
【図１７】図１５の等化部３１３の構成例を示すブロック図である。
【図１８】図１５のＬＤＰＣ符号復号部３１５の構成例を示すブロック図である。
【図１９】図１５の歪情報生成部３１６の構成例を示すブロック図である。
【図２０】図１５の受信装置１１２の受信処理を説明するフローチャートである。
【図２１】図２０のステップＳ１０６の歪情報生成処理の詳細を説明するフローチャートである。
【図２２】本開示を適用した送受信システムの第２実施の形態における受信装置の構成例を示すブロック図である。
【図２３】図２２の歪情報生成部４２２の構成例を示すブロック図である。
【図２４】図２３の歪情報生成部４２２の歪情報生成処理の詳細を説明するフローチャートである。
【図２５】コンピュータのハードウエアの構成例を示すブロック図である。
【発明を実施するための形態】
【００１５】
以下、本開示の前提および本開示を実施するための形態（以下、実施の形態という）について説明する。なお、説明は以下の順序で行う。
０．本開示の前提（図１乃至図９）
１．第１実施の形態：送受信システム（図１０乃至図２１）
２．第２実施の形態：送受信システム（図２２乃至図２４）
３．第３実施の形態：コンピュータ（図２５）
【００１６】
＜本開示の前提＞
（衛星中継器の非線形の影響の一例）
図１は、衛星中継器の非線形の影響の一例を示す図である。
【００１７】
図１に示すように、衛星放送システム１においては、衛星中継装置１２が、図示せぬ送信装置から送信された衛星デジタル放送の送信信号１１を受信して増幅等を行い、その結果得られる信号を受信信号１３として図示せぬ受信装置に送信する。このとき、送信信号１１は、衛星中継装置１２により非線形の影響を受けるため、受信信号１３では、非線形性の歪が発生する。
【００１８】
（衛星中継装置の構成の一例）
図２は、図１の衛星中継装置１２の構成の一例を示すブロック図である。
【００１９】
図２の衛星中継装置１２は、ＩＭＵＸ（Input de-multiplexer）フィルタ４１、ＴＷＴＡ（Travelling-Wave Tube Amplifier）４２、およびＯＭＵＸ（Output multiplexer）フィルタ４３により構成される。
【００２０】
衛星中継装置１２のＩＭＵＸフィルタ４１は、図示せぬ送信装置から送信されてきた送信信号１１に対してフィルタ処理を行う。ＩＭＵＸフィルタ４１は、フィルタ処理後の信号をＴＷＴＡ４２に供給する。
【００２１】
ＴＷＴＡ４２は、フィルタ処理後の信号を増幅し、ＯＭＵＸフィルタ４３に供給する。ＯＭＵＸフィルタ４３は、ＴＷＴＡ４２から供給される増幅後の信号に対してフィルタ処理を行い、受信信号１３を生成する。受信信号１３は、図示せぬ受信装置に送信される。
【００２２】
（ＴＷＴＡの出力特性の説明）
図３は、図２のＴＷＴＡ４２の出力特性の一例を示す図である。
【００２３】
図３において、横軸は、ＴＷＴＡ４２の入力信号の振幅を表し、縦軸は、出力信号の振幅または位相を表している。また、実線は、入力信号の振幅と出力信号の振幅の関係を表し、点線は、入力信号の振幅と出力信号の位相の関係を表している。
【００２４】
図３に示すように、出力信号の振幅は、入力信号の振幅が大きくなるにしたがって、入力信号の振幅にほぼ比例して大きくなるが、入力信号の振幅の値が所定の値まで大きくなった後は、次第に飽和する。
【００２５】
一方、出力信号の位相は、入力信号の振幅が大きくなるにしたがって徐々に大きくなり、入力信号の振幅の値が所定の値まで大きくなった後は、急激に大きくなる。そして入力信号の振幅の値がさらに所定の値まで大きくなった後は、出力信号の位相は飽和する。
【００２６】
以上のように、ＴＷＴＡ４２の出力特性は非線形性を示す。
【００２７】
（送信信号の各信号点）
図４は、送信信号１１が、８ＰＳＫ信号、１６ＡＰＳＫ信号、および３２ＡＰＳＫ信号である場合の送信信号１１の各信号点のＩＱ平面上の座標位置（信号点配置）の一例を示す図である。
【００２８】
図４のＩＱ平面では、横軸がＩ軸、縦軸がＱ軸となっており、図中白丸が信号点を表している。また、ＩＱ座標が（０，０）となる図中の中心点から信号点を表す白丸までの距離（半径）が、その信号点の振幅を表し、横軸と、中心点と信号点を表す白丸とを結ぶ線との角度φが、その信号点の位相を表す。これらのことは、後述する図１３および図１４においても同様である。
【００２９】
図４のＡに示すように、送信信号１１が８ＰＳＫ信号である場合、振幅が同一で、位相の異なる８個の信号点により、８種類のシンボルが送信される。
【００３０】
一方、図４のＢに示すように、送信信号１１が１６ＡＰＳＫ信号である場合、振幅と位相の一方または両方が異なる１６個の信号点により、１６種類のシンボルが送信される。また、図４のＣに示すように、送信信号１１が３２ＡＰＳＫ信号である場合、振幅と位相の一方または両方が異なる３２個の信号点により、３２種類のシンボルが送信される。
【００３１】
（ＴＷＴＡによる増幅後の信号）
図５は、送信信号１１が８ＰＳＫ信号である場合のＴＷＴＡ４２による増幅後の信号の各信号点のＩＱ平面上の座標位置を示す図である。また、図６は、送信信号１１が３２ＡＰＳＫ信号である場合のＴＷＴＡ４２による増幅後の信号の各信号点のＩＱ平面上の座標位置を示す図である。
【００３２】
図５および図６において、バツ印は、ＴＷＴＡ４２による増幅前の信号の信号点を表し、プラス印は、ＴＷＴＡ４２による増幅後の信号の信号点を表す。
【００３３】
図５に示すように、送信信号１１が８ＰＳＫ信号である場合、信号点の振幅は１種類であるので、ＴＷＴＡ４２による振幅の縮小率と位相回転量は、全ての信号点において同一である。具体的には、ＴＷＴＡ４２による増幅後の信号の各信号点のＩＱ平面上の座標位置の中心点からの距離は、増幅前の信号の各信号点に比べて一定量だけ小さい。また、ＴＷＴＡ４２による増幅後の信号の各信号点のＩＱ平面上の座標位置は、増幅前の信号の各信号点の座標位置を一定量だけ反時計方向に回転させた位置である。
【００３４】
従って、送信信号１１がＰＳＫ信号である場合、時計方向に一定量だけ回転させ、振幅を調整することにより、ＴＷＴＡ４２による非線形歪を補正することができるため、受信装置において、判定誤りは発生せず、受信性能は劣化しない。
【００３５】
これに対して、図６に示すように、送信信号１１が３２ＡＰＳＫ信号である場合、信号点の振幅は複数種類あるので、ＴＷＴＡ４２の出力特性が非線形性を示すことにより、信号点の振幅ごとに、ＴＷＴＡ４２による振幅の縮小率と位相回転量が異なる。
【００３６】
具体的には、ＴＷＴＡ４２による増幅後の信号の各信号点のＩＱ平面上の座標位置の中心点からの距離は、その距離に応じた量だけ、増幅前の信号の各信号点に比べて小さい。図６の例では、中心点からの距離が大きい信号点ほど、中心点からの距離の縮小率は大きくなっている。即ち、中心点からの距離が大きくなるほど、ＴＷＴＡ４２による増幅後の信号の信号点の位置は、より内側に抑圧される。
【００３７】
また、ＴＷＴＡ４２による増幅後の信号の各信号点のＩＱ平面上の座標位置は、その信号点の中心点からの距離に応じた量だけ、増幅前の信号の各信号点の位置を反時計方向に回転させた位置である。図６の例では、中心点からの距離が大きい信号点ほど、位相回転量は大きくなっている。
【００３８】
以上のように、送信信号１１がＡＰＳＫ信号である場合、ＴＷＴＡ４２により非線形歪が発生するため、受信装置が、衛星デジタル放送規格で定められた各信号点の送信信号に基づいて受信処理を行うと、判定誤りが発生し、受信性能が劣化する。
【００３９】
そこで、ARIB STD-B44規格の伝送フォーマットでは、このような非線形歪を補償するために、データ区間と同一の信号点配置の信号点を所定の順番で含む伝送信号点配置信号が、送信信号に埋め込まれている。
【００４０】
（ARIB STD-B44規格の伝送フォーマット）
図７は、ARIB STD-B44規格の伝送フォーマットの１フレーム分の送信信号を示す図である。
【００４１】
図７に示すように、ARIB STD-B44規格の伝送フォーマットの１フレーム分の送信信号は、１２０個の変調スロットにより構成されている。図７では、ｉ番目の変調スロットを変調スロット＃ｉと記述している。
【００４２】
各変調スロットには、同期信号ＦＳｙｎｃ，ＳＳｙｎｃ、または！ＦＳｙｎｃ、伝送信号点配置信号Ｐ、データＤａｔａ、およびバースト信号Ｔが配置される。同期信号ＦＳｙｎｃ，ＳＳｙｎｃ、または！ＦＳｙｎｃは、同期のための２４シンボルの同期信号である。
【００４３】
また、伝送信号点配置信号Ｐは、非線形歪を補償するための３２シンボルのパイロット信号であり、データＤａｔａと同一の信号点配置の信号点を全て含む既知信号である。同期信号ＦＳｙｎｃ，ＳＳｙｎｃ、または！ＦＳｙｎｃと、伝送信号点配置信号Ｐは、既知信号であり、これらの信号の各シンボルは、ARIB STD-B44規格により予め定められている。
【００４４】
（伝送信号点配置信号のシンボルの例）
図８は、変調方式が３２ＡＰＳＫである場合の伝送信号点配置信号のシンボルの例を示す図である。
【００４５】
変調方式が３２ＡＰＳＫである場合、伝送信号点配置信号には、値０乃至３１の信号が順に配置される。従って、図８のＡに示すように、伝送信号点配置信号の３２シンボルのうちの第１のシンボルは、値０［０００００］であり、図８のＢに示すように、第２のシンボルは、値１［００００１］である。また、図８のＣに示すように、第３２のシンボルは、値３１［１１１１１］である。
【００４６】
なお、本明細書では、変調方式とは、ＱＰＳＫ，８ＰＳＫ，１６ＰＳＫ，３２ＡＰＳＫ等の方式だけでなく、符号化率も表すものである。従って、変調方式が同一であるとは、ＱＰＳＫ，８ＰＳＫ，１６ＰＳＫ，３２ＡＰＳＫ等の方式と符号化率が同一であることを指し、変調方式が同一である場合、信号点配置が同一である。
【００４７】
（非線形歪の補償の説明）
図９は、図８の伝送信号点配置信号を用いて受信装置が行う非線形歪の補償を説明する図である。
【００４８】
なお、図９は、ＩＱ平面を示している。
【００４９】
図９のＡに示す、送信信号１１に含まれる３２ＡＰＳＫで変調された伝送信号点配置信号の各信号点（送信信号点）は、衛星中継装置１２により、図９のＢに示す信号点（受信信号点）に変換される。受信装置は、図９のＢに示す信号点の伝送信号点配置信号を含む受信信号を受信し、信号点ごとに、受信された伝送信号点配置信号を平均化し、平均化された伝送信号点配置信号を、その信号点の信号とすることにより、非線形歪を補償する。
【００５０】
受信装置は、このような非線形歪の補償を、受信信号１３の硬判定処理や軟判定処理時に行うことにより、受信性能を向上させることができる。
【００５１】
しかしながら、受信信号１３が、伝送信号点配置信号のような、データ区間と同一の信号点配置の信号点の全てを、既知信号として含まない場合、受信装置は、上述した非線形歪の補償を行うことができない。そこで、本開示は、データ区間と同一の信号点配置の信号点の全てを既知信号として含まない受信信号に対して非線形歪を補償することにより、受信性能の向上を図る。
【００５２】
＜第１実施の形態＞
（送受信システムの第１実施の形態の構成例）
図１０は、本開示を適用した送受信システムの第１実施の形態の構成例を示すブロック図である。
【００５３】
図１０に示す構成のうち、図１の構成と同じ構成には同じ符号を付してある。重複する説明については適宜省略する。
【００５４】
図１０の送受信システム１０１は、送信装置１１１、衛星中継装置１２、および、受信装置１１２により構成される。送受信システム１０１は、送信装置１１１により送信された送信信号を、衛星中継装置１２を介して受信装置１１２に受信させる。
【００５５】
具体的には、送受信システム１０１の送信装置１１１は、送信局に設けられる。送信装置１１１は、DVB-S2やDVB-S2X規格等の伝送フォーマットの衛星デジタルテレビ放送の放送信号を、送信信号として衛星中継装置１２に送信する。
【００５６】
衛星中継装置１２は、送信装置１１１から送信されてくる送信信号に対して、フィルタ処理や増幅処理を行い、その結果得られる信号を受信装置１１２に送信する。
【００５７】
受信装置１１２は、一般ユーザの住宅や地上局に設けられる。受信装置１１２は、衛星中継装置１２から送信されてくる信号を受信信号として受信する。受信装置１１２は、受信信号に対して受信処理を行う。このとき、受信装置１１２は、受信信号の非線形歪を補償する。
【００５８】
（DVB-S2やDVB-S2X規格の伝送フォーマット）
図１１は、DVB-S2やDVB-S2X規格の伝送フォーマットの１フレーム分の送信信号の一例を示す図である。
【００５９】
図１１に示すように、DVB-S2やDVB-S2X規格の伝送フォーマットの１フレーム分の送信信号のデータ区間は、Ｓ個のスロットから構成されており、各スロットは、９０シンボルの信号からなる。また、各スロットは、８ＰＳＫなどの選択された変調方式で変調されており、１６スロットごとに、必要に応じて、非変調のキャリアである３６シンボルのパイロットブロックが配置される。
【００６０】
また、Ｓ個のスロットの前方には、フィジカルレイヤヘッダ（PLヘッダ）が配置されている。フィジカルレイヤヘッダは、π／２ＢＰＳＫ（Binary Phase-Shift Keying）で変調されており、ＳＯＦとＰＬＳＣＯＤＥから構成される。ＳＯＦは、フレームの開始を示す２４シンボルの信号であり、ＰＬＳＣＯＤＥは、伝送制御情報、データ区間の変調方式等を示す６４シンボルの信号である。
【００６１】
以上のように、DVB-S2やDVB-S2X規格の伝送フォーマットの１フレーム分の送信信号には、データ区間と同一の信号点配置の信号点の全てを含む既知信号が存在しない。
【００６２】
（π／２ＢＰＳＫの各信号点）
図１２は、π／２ＢＰＳＫの各信号点のＩＱ平面上の座標位置を示す図である。
【００６３】
図１２のＡは、奇数番目のシンボルの各信号点を表し、図１２のＢは、偶数番目のシンボルの各信号点を表す。
【００６４】
図１２のＡおよび図１２のＢに示すように、π／２ＢＰＳＫでは、値０と値１の信号点の位相が１８０度異なり、各値の奇数番目のシンボルの信号点と偶数番目のシンボルの信号点の位相は９０度異なる。
【００６５】
（DVB-S2X規格の伝送フォーマットの送信信号の各信号点）
DVB-S2X規格の伝送フォーマットの送信信号の変調方式としては、各信号点のＩＱ平面上の座標位置が図４に示した位置ではない変調方式も存在する。図１３および図１４は、各信号点のＩＱ平面上の座標位置が図４に示した位置ではない、DVB-S2X規格の伝送フォーマットの送信信号の変調方式の各信号点のＩＱ平面上の座標位置の一例を示す図である。
【００６６】
図１３のＡに示すように、DVB-S2X規格の伝送フォーマットの送信信号の変調方式としては、３種類の振幅の信号点により８個のシンボルを送信する８ＡＰＳＫ（２＋４＋２ＡＰＳＫ）方式がある。この８ＡＰＳＫ方式では、最小の振幅の信号点により２個のシンボルが送信され、２番目に小さい振幅の信号点により４個のシンボルが送信され、最大の振幅の信号点により２個のシンボルが送信される。
【００６７】
また、図１３のＢに示すように、２種類の振幅の信号点により１６個のシンボルを送信する１６ＡＰＳＫ（８＋８ＡＰＳＫ）方式もある。この１６ＡＰＳＫ方式では、２種類のそれぞれの振幅の信号点により８個のシンボルが送信される。
【００６８】
さらに、図１３のＣに示すように、３種類の振幅の信号点により３２個のシンボルを送信する３２ＡＰＳＫ（４＋１２＋１６ＡＰＳＫ）方式もある。この３２ＡＰＳＫ方式では、最小の振幅の信号点により４個のシンボルが送信され、２番目に小さい振幅の信号点により１２個のシンボルが送信され、最大の振幅の信号点により１６個のシンボルが送信される。
【００６９】
また、図１３のＤに示すように、４種類の振幅の信号点により３２個のシンボルを送信する３２ＡＰＳＫ（８＋１６＋２０＋２０ＡＰＳＫ）方式もある。この３２ＡＰＳＫ方式では、最小の振幅の信号点により８個のシンボルが送信され、２番目に小さい振幅の信号点により１６個のシンボルが送信され、３番目に小さい振幅の信号点により２０個のシンボルが送信され、最大の振幅の信号点により２０個のシンボルが送信される。
【００７０】
さらに、図１３のＥに示すように、４種類の振幅の信号点により６４個のシンボルを送信する６４ＡＰＳＫ（１６＋１６＋１６＋１６ＡＰＳＫ）方式もある。この６４ＡＰＳＫ方式では、４種類のそれぞれの振幅の信号点により１６個のシンボルが送信される。
【００７１】
また、図１４のＡに示すように、４種類の振幅の信号点により６４個のシンボルを送信する６４ＡＰＳＫ（４＋１２＋２０＋２８ＡＰＳＫ）方式もある。この６４ＡＰＳＫ方式では、最小の振幅の信号点により４個のシンボルが送信され、２番目に小さい振幅の信号点により１２個のシンボルが送信され、３番目に小さい振幅の信号点により２０個のシンボルが送信され、最大の振幅の信号点により２８個のシンボルが送信される。
【００７２】
さらに、図１４のＢに示すように、４種類の振幅の信号点により６４個のシンボルを送信する６４ＡＰＳＫ（８＋１６＋２０＋２０ＡＰＳＫ）方式もある。この６４ＡＰＳＫ方式では、最小の振幅の信号点により８個のシンボルが送信され、２番目に小さい振幅の信号点により１６個のシンボルが送信され、３番目に小さい振幅の信号点により２０個のシンボルが送信され、最大の振幅の信号点により２０個のシンボルが送信される。
【００７３】
また、図１４のＣに示すように、４種類の振幅の信号点により６４個のシンボルを送信する６４ＡＰＳＫ（４＋１２＋２０＋２８ＡＰＳＫ）方式もある。この６４ＡＰＳＫ方式では、最小の振幅の信号点により４個のシンボルが送信され、２番目に小さい振幅の信号点により１２個のシンボルが送信され、３番目に小さい振幅の信号点により２０個のシンボルが送信され、最大の振幅の信号点により２８個のシンボルが送信される。
【００７４】
さらに、図１４のＤに示すように、６種類の振幅の信号点により１２８個のシンボルを送信する１２８ＡＰＳＫ（１６＋１６＋１６＋１６＋１６＋４８ＡＰＳＫ）方式もある。この１２８ＡＰＳＫ方式では、最大の振幅を除いた５種類のそれぞれの振幅の信号点により１６個のシンボルが送信され、最大の振幅の信号点により４８個のシンボルが送信される。
【００７５】
また、図１４のＥに示すように、８種類の振幅の信号点により２５６個のシンボルを送信する２５６ＡＰＳＫ（３２＋３２＋３２＋３２＋３２＋３２＋３２＋３２ＡＰＳＫ）方式もある。この２５６ＡＰＳＫ方式では、８種類のそれぞれの振幅の信号点により３２個のシンボルが送信される。
【００７６】
（受信装置の構成例）
図１５は、図１０の受信装置１１２の構成例を示すブロック図である。
【００７７】
図１５の受信装置１１２は、チャンネル選択部３１１、直交検波部３１２、等化部３１３、ＰＬＳコード復号部３１４、ＬＤＰＣ（Low Density Parity Check）符号復号部３１５、歪情報生成部３１６、ＢＣＨ符号復号部３１７、およびエネルギー逆拡散部３１８により構成される。
【００７８】
チャンネル選択部３１１は、衛星中継装置１２から送信されてきた信号を受信信号として受信する。チャンネル選択部３１１は、受信信号の周波数変換を行い、得られたＩＦ（Intermediate Frequency）信号から、ユーザ等により指定されたチャンネルのＩＦ信号を選択する。チャンネル選択部３１１は、選択されたＩＦ信号に対して、直交復調、A/D変換などの処理を施し、その結果得られるＩ信号とＱ信号を直交検波部３１２に供給する。
【００７９】
直交検波部３１２は、チャンネル選択部３１１から供給されるＩ信号とＱ信号の位相誤差補正などを行う。このとき、直交検波部３１２は、歪情報生成部３１６から供給される歪情報に基づいて、衛星中継装置１２により発生した非線形歪を補償する。直交検波部３１２は、位相誤差補正後のＩ信号とＱ信号を等化部３１３に供給する。
【００８０】
等化部３１３は、例えばＤＦＥ(Decision Feedback Equalizer)からなり、直交検波部３１２から供給されるＩ信号とＱ信号に対して等化処理を行う。このとき、等化部３１３は、歪情報生成部３１６から供給される歪情報に基づいて、衛星中継装置１２により発生した非線形歪を補償する。等化部３１３は、等化処理後のＩ信号とＱ信号をＰＬＳコード復号部３１４、ＬＤＰＣ符号復号部３１５、および歪情報生成部３１６に供給する。
【００８１】
ＰＬＳコード復号部３１４は、等化部３１３から供給されるＩ信号とＱ信号から、受信信号内のデータ区間の変調方式などを含むＰＬＳコードを復号する。ＰＬＳコード復号部３１４は、復号結果を、歪情報生成部３１６とＢＣＨ符号復号部３１７に供給する。
【００８２】
ＬＤＰＣ符号復号部３１５は、FEC処理としてＬＤＰＣ符号復号処理を行う。具体的には、ＬＤＰＣ符号復号部３１５は、現在の変調方式のシンボルを構成するビット(例えば、変調方式が３２ＡＰＳＫである場合５ビット)ごとに、尤度テーブルを用意する。ＬＤＰＣ符号復号部３１５は、尤度テーブルに基づいて、等化部３１３から供給されるＩ信号とＱ信号が表す信号点に対して、シンボルを構成する各ビットの１と思われる確率と０と思われる確率の対数比ＬＬＲ(Log Likelihood Ratio)を求め、この対数比ＬＬＲに対してＬＤＰＣ符号復号を行う。このとき、ＬＤＰＣ符号復号部３１５は、歪情報生成部３１６から供給される歪情報に基づいて、衛星中継装置１２により発生した非線形歪を補償する。ＬＤＰＣ符号復号部３１５は、ＬＤＰＣ符号復号処理の結果得られるデータ（ＬＰＤＣ復号後のデータとＬＤＰＣパリティ）を、歪情報生成部３１６とＢＣＨ符号復号部３１７に供給する。
【００８３】
歪情報生成部３１６は、ＬＤＰＣ符号復号部３１５から供給されるＬＤＰＣ符号復号処理後のデータを、ＰＬＳコード復号部３１４からのＰＬＳコードに含まれる変調方式で変調し、変調信号を生成する。歪情報生成部３１６は、ＰＬＳコードが表す変調方式および変調信号の信号点配置（constellation）ごとに、その変調信号と同時刻の、等化部３１３から供給されるＬＤＰＣ符号復号処理前のＩ信号およびＱ信号を平均化し、平均信号を生成する。
【００８４】
歪情報生成部３１６は、変調方式ごとに、変調信号の各信号点配置を送信信号の各信号点配置の推定値とし、その信号点配置に対応する平均信号の信号点配置を受信信号の信号点配置として、各信号点配置の変調信号に対して発生した非線形歪を表す歪情報を生成する。
【００８５】
なお、ここでは、歪情報は、変調信号の各信号点配置に対応する平均信号のＩＱ平面上の位置の直交座標または極座標（以下では、これらをまとめて単に座標という）であるものとする。この場合、例えば、変調方式が３２ＡＰＳＫであるとき、歪情報は、３２個の座標からなる、６４（＝３２×２）個の情報である。
【００８６】
歪情報は、これに限らず、例えば、全ての信号点配置のうちの各振幅を代表する信号点配置である代表信号点配置に対応する平均信号のＩＱ平面上の位置の座標であるようにしてもよい。この場合、例えば、変調方式が３２ＡＰＳＫであるとき、歪情報は、３個の座標からなる、６（＝３×２）個の情報である。
【００８７】
また、歪情報は、１つの信号点配置に対応する平均信号のＩＱ平面上の位置を基準としたときの、その他の各信号点配置に対応する平均信号のＩＱ平面上の相対位置を表す座標であるようにしてもよい。この場合、例えば、変調方式が３２ＡＰＳＫであるとき、歪情報は、３１個の座標からなる、６２（＝３１×２）個の情報である。
【００８８】
さらに、歪情報は、代表信号点配置のうちの１つの代表信号点配置に対応する平均信号のＩＱ平面上の位置を基準としたときの、その他の各代表信号点配置に対応する平均信号のＩＱ平面上の相対位置を表す座標であるようにしてもよい。この場合、例えば、変調方式が３２ＡＰＳＫであるとき、歪情報は、２個の座標からなる、４（＝２×２）個の情報である。
【００８９】
また、歪情報は、各信号点配置の変調信号を入力信号とし、その信号点配置に対応する平均信号を出力信号としたときの、図３に示したような出力特性を表すグラフであってもよい。
【００９０】
歪情報生成部３１６は、現在のＰＬＳコードに含まれる変調方式の歪情報を、直交検波部３１２、等化部３１３、およびＬＤＰＣ符号復号部３１５に供給する。
【００９１】
ＢＣＨ符号復号部３１７は、ＰＬＳコード復号部３１４から供給されるＰＬＳコードに基づいて、ＬＤＰＣ符号復号部３１５から供給されるデータをＢＣＨ符号復号し、復号結果をエネルギー逆拡散部３１８に供給する。
【００９２】
エネルギー逆拡散部３１８は、ＢＣＨ符号復号部３１７から供給される復号結果をエネルギー逆拡散し、出力する。
【００９３】
（直交検波部の構成例）
図１６は、図１５の直交検波部３１２の構成例を示すブロック図である。
【００９４】
図１６の直交検波部３１２は、複素乗算部３５１、ＲＲＦ（Route Roll-off Filter）３５２および３５３、記憶部３５４、位相誤差検出部３５５、ＬＦ（Loop Filter）３５６、およびＮＣＯ（Numerically Controlled Oscillator）３５７により構成される。
【００９５】
複素乗算部３５１は、図１５のチャンネル選択部３１１から供給されるＩ信号およびＱ信号のそれぞれと、ＮＣＯ３５７から供給される信号とを乗算することにより、Ｉ信号とＱ信号を生成する。複素乗算部３５１は、生成されたＩ信号をＲＲＦ３５２に供給し、Ｑ信号をＲＲＦ３５３に供給する。
【００９６】
ＲＲＦ３５２は、複素乗算部３５１から供給されるＩ信号に対してフィルタ処理を行い、雑音を除去する。ＲＲＦ３５２は、フィルタ処理後のＩ信号を位相誤差検出部３５５に供給するとともに、図１５の等化部３１３に供給する。
【００９７】
ＲＲＦ３５３は、複素乗算部３５１から供給されるＱ信号に対してフィルタ処理を行い、雑音を除去する。ＲＲＦ３５３は、フィルタ処理後のＱ信号を位相誤差検出部３５５に供給するとともに、等化部３１３に供給する。
【００９８】
記憶部３５４は、図１５の歪情報生成部３１６から供給される歪情報を記憶する。
【００９９】
位相誤差検出部（硬判定部）３５５は、ＲＲＦ３５２から供給されるＩ信号と、ＲＲＦ３５３から供給されるＱ信号からなる信号に、ＩＱ平面上で最も近い平均信号の座標を、記憶部３５４から読み出す硬判定処理を行う。位相誤差検出部３５５（硬判定部）は、読み出された座標の信号と、ＲＲＦ３５２からのＩ信号とＲＲＦ３５３からのＱ信号からなる信号の位相誤差を検出する位相誤差検出処理を行う。位相誤差検出部３５５は、検出された位相誤差をＬＦ３５６に供給する。
【０１００】
以上のように、位相誤差検出部３５５は、DVB-S2やDVB-S2X規格等で予め定められた信号点の信号ではなく、歪情報に基づいて、位相誤差を検出するので、衛星中継装置１２で発生する非線形歪が補償され、位相同期性能が向上する。
【０１０１】
ＬＦ３５６は、位相誤差検出部３５５から検出された位相誤差をフィルタ処理し、ＮＣＯ３５７に供給する。
【０１０２】
ＮＣＯ３５７は、ＬＦ３５６から供給される位相誤差に基づいて、所定の周波数の信号を生成し、複素乗算部３５１に供給する。
【０１０３】
（等化部の構成例）
図１７は、図１５の等化部３１３の構成例を示すブロック図である。
【０１０４】
図１７の等化部３１３は、フィードフォワードフィルタ３７１、減算部３７２−１および３７２−２、硬判定部３７３、フィードバックフィルタ３７４、並びに係数更新部３７５により構成される。
【０１０５】
等化部３１３のフィードフォワードフィルタ３７１は、可変係数フィルタである。フィードフォワードフィルタ３７１は、係数更新部３７５から供給される係数を用いて、図１５の直交検波部３１２から供給されるＩ信号およびＱ信号のそれぞれと係数との畳み込み演算を行う。フィードフォワードフィルタ３７１は、畳み込み演算の結果得られるＩ信号を減算部３７２−１に出力し、Ｑ信号を減算部３７２−２に出力する。
【０１０６】
減算部３７２−１は、フィードフォワードフィルタ３７１から供給されるＩ信号から、フィードバックフィルタ３７４から供給されるＩ信号を減算する。減算部３７２−１は、その結果得られるＩ信号を、等化処理後のＩ信号として、図１５のＬＤＰＣ符号復号部３１５に供給するとともに、硬判定部３７３と係数更新部３７５に供給する。減算部３７２−２は、フィードフォワードフィルタ３７１から供給されるＱ信号から、フィードバックフィルタ３７４から供給されるＱ信号を減算する。減算部３７２−２は、その結果得られるＱ信号を、等化処理後のＱ信号として、ＬＤＰＣ符号復号部３１５に供給するとともに、硬判定部３７３と係数更新部３７５に供給する。
【０１０７】
硬判定部３７３は、図１５の歪情報生成部３１６から供給される歪情報に基づいて、減算部３７２−１から供給される等化処理後のＩ信号および減算部３７２−２から供給される等化処理後のＱ信号の硬判定を行う。即ち、硬判定部３７３は、歪情報が表す座標のうちの、等化処理後のＩ信号およびＱ信号が表す座標に最も近い座標に対応する信号点を判定する。
【０１０８】
このように、硬判定部３７３は、DVB-S2やDVB-S2X規格等で予め定められた各信号点配置ではなく、歪情報を用いて硬判定を行うので、衛星中継装置１２で発生する非線形歪が補償され、等化性能が向上する。硬判定部３７３は、硬判定の結果得られる信号点のＩ信号およびＱ信号を、フィードバックフィルタ３７４と係数更新部３７５に供給する。
【０１０９】
フィードバックフィルタ３７４は、可変係数フィルタである。フィードバックフィルタ３７４は、係数更新部３７５から供給される係数を用いて、硬判定部３７３から供給されるＩ信号およびＱ信号のそれぞれと係数との畳み込み演算を行う。フィードバックフィルタ３７４は、畳み込み演算の結果得られるＩ信号を減算部３７２−１に供給し、Ｑ信号を減算部３７２−２に供給する。
【０１１０】
係数更新部３７５は、減算部３７２−１から供給されるＩ信号から、硬判定部３７３から供給されるＩ信号を減算する。また、係数更新部３７５は、減算部３７２−２から供給されるＱ信号から、硬判定部３７３から供給されるＱ信号を減算する。係数更新部３７５は、減算の結果得られるＩ信号およびＱ信号に基づいてLMS（Least Mean Square）演算を行い、フィードフォワードフィルタ３７１とフィードバックフィルタ３７４に供給する係数を更新する。
【０１１１】
（ＬＤＰＣ符号復号部の構成例）
図１８は、図１５のＬＤＰＣ符号復号部３１５の構成例を示すブロック図である。
【０１１２】
図１８のＬＤＰＣ符号復号部３１５は、尤度テーブル生成部３８１、記憶部３８２、および復号部３８３により構成される。
【０１１３】
尤度テーブル生成部３８１は、図１５の歪情報生成部３１６から供給される歪情報が表す各平均信号を各信号点の理想信号として、各信号点にマッピングされるバイナリ系列（シンボル）を構成する各ビットの対数比ＬＬＲを算出する。尤度テーブル生成部３８１は、シンボルを構成するビットごとに、各信号点と、その信号点のビットの対数比ＬＬＲとを対応付けた尤度テーブルを生成し、記憶部３８２に供給する。
【０１１４】
記憶部３８２は、尤度テーブル生成部３８１から供給される尤度テーブルを記憶する。
【０１１５】
復号部３８３は、記憶部３８２から尤度テーブルを読み出す。復号部３８３（軟判定部）は、読み出された尤度テーブルを用いて、軟判定処理であるＬＤＰＣ符号復号処理を行う。具体的には、復号部３８３は、尤度テーブルを用いて、図１５の等化部３１３から供給されるＩ信号とＱ信号が表す信号点に対し、シンボルを構成する各ビットの１と思われる確率と０と思われる確率の対数比ＬＬＲを求め、この対数比ＬＬＲに対してＬＤＰＣ符号復号を行う。復号部３８３は、その結果得得られるデータを、図１５の歪情報生成部３１６とＢＣＨ符号復号部３１７に供給する。
【０１１６】
以上のように、ＬＤＰＣ符号復号部３１５は、DVB-S2やDVB-S2X規格等で予め定められた各信号点の信号ではなく、歪情報を用いて尤度テーブルを生成するので、衛星中継装置１２で発生する非線形歪が補償され、誤り訂正性能が向上する。
【０１１７】
（歪情報生成部の構成例）
図１９は、図１５の歪情報生成部３１６の構成例を示すブロック図である。
【０１１８】
図１９の歪情報生成部３１６は、ＲＡＭ（Random Access Memory）４０１および４０２，変調部４０３、および平均化部４０４により構成される。
【０１１９】
ＲＡＭ４０１は、図１５の等化部３１３から供給される、FEC処理前のＩ信号およびＱ信号を保持する。ＲＡＭ４０２は、ＬＤＰＣ符号復号部３１５から供給されるデータを保持する。
【０１２０】
変調部４０３は、インターリーブ部４１１とマッピング部４１２により構成される。変調部４０３は、図１５のＰＬＳコード復号部３１４から供給されるＰＬＳコードに含まれるデータ区間の変調方式、即ち送信装置１１１におけるデータ区間の変調方式と同一の変調方式で、ＲＡＭ４０２に保持されているデータを変調し、変調信号を生成する。
【０１２１】
具体的には、インターリーブ部４１１は、ＲＡＭ４０１から読み出されるＩ信号およびＱ信号のＬＤＰＣ符号復号処理後のデータを、ＲＡＭ４０２から読み出す。インターリーブ部４１１は、読み出されたデータに対してビットインターリーブを施し、その結果得られるデータをマッピング部４１２に供給する。
【０１２２】
マッピング部４１２は、ＰＬＳコードに含まれる変調方式で、インターリーブ部４１１から供給されるデータをマッピングし、そのデータに対応する送信信号の信号点のＩ信号およびＱ信号を生成する。マッピング部４１２は、生成されたＩ信号およびＱ信号を変調信号として平均化部４０４に供給する。
【０１２３】
平均化部４０４は、ＲＡＭ４０１からＩ信号とＱ信号を読み出す。平均化部４０４は、ＰＬＳコード復号部３１４から供給されるＰＬＳコードが表す変調方式および変調信号の信号点配置ごとに、その変調信号と同時刻の、読み出されたＩ信号およびＱ信号を平均化し、平均信号を生成する。平均化部４０４は、変調方式ごとに、変調信号の各信号点配置を送信信号の各信号点配置の推定値とし、その信号点配置に対応する平均信号の信号点配置を受信信号の信号点配置として、歪情報を生成する。
【０１２４】
平均化部４０４は、生成された歪情報のうちの、現在のＰＬＳコードに含まれる変調方式の歪情報を、図１５の直交検波部３１２、等化部３１３、およびＬＤＰＣ符号復号部３１５に供給する。
【０１２５】
（受信装置の処理の説明）
図２０は、図１５の受信装置１１２の受信処理を説明するフローチャートである。
【０１２６】
図２０のステップＳ１０１において、チャンネル選択部３１１は、図１０の衛星中継装置１２から受信された受信信号に対して周波数変換を行い、得られたＩＦ信号から、ユーザ等により指定されたチャンネルのＩＦ信号を選択する。チャンネル選択部３１１は、選択されたＩＦ信号に対して直交復調、A/D変換などの処理を施し、その結果得られるＩ信号とＱ信号を直交検波部３１２に供給する。
【０１２７】
ステップＳ１０２において、直交検波部３１２は、チャンネル選択部３１１から供給されるＩ信号とＱ信号の位相誤差補正などを行う。このとき、直交検波部３１２は、歪情報生成部３１６から供給される歪情報に基づいて、衛星中継装置１２により発生した非線形歪を補償する。直交検波部３１２は、位相誤差補正後のＩ信号とＱ信号を等化部３１３に供給する。
【０１２８】
ステップＳ１０３において、等化部３１３は、直交検波部３１２から供給されるＩ信号とＱ信号に対して等化処理を行う。このとき、等化部３１３は、歪情報生成部３１６から供給される歪情報に基づいて、衛星中継装置１２により発生した非線形歪を補償する。等化部３１３は、等化処理後のＩ信号とＱ信号をＰＬＳコード復号部３１４、ＬＤＰＣ符号復号部３１５、および歪情報生成部３１６に供給する。
【０１２９】
ステップＳ１０４において、ＰＬＳコード復号部３１４は、等化部３１３から供給されるＩ信号とＱ信号からＰＬＳコードを復号する。ＰＬＳコード復号部３１４は、復号結果を、歪情報生成部３１６とＢＣＨ符号復号部３１７に供給する。
【０１３０】
ステップＳ１０５において、ＬＤＰＣ符号復号部３１５は、等化部３１３から供給されるＩ信号とＱ信号が表す信号点に対してLDPC符号復号処理を行う。このとき、ＬＤＰＣ符号復号部３１５は、歪情報生成部３１６から供給される歪情報に基づいて、衛星中継装置１２により発生した非線形歪を補償する。ＬＤＰＣ符号復号部３１５は、ＬＤＰＣ符号復号処理の結果得られるデータを、歪情報生成部３１６とＢＣＨ符号復号部３１７に供給する。
【０１３１】
なお、最初のステップＳ１０２、Ｓ１０３，Ｓ１０５の処理では、まだ歪情報が生成されていないため、例えば、予め放送規格で定められた歪情報が用いられる。
【０１３２】
ステップＳ１０６において、歪情報生成部３１６は、ＰＬＳコードが表す変調方式ごとに、ＬＤＰＣ符号復号処理後のデータとＬＤＰＣ符号復号処理前のＩ信号およびＱ信号とを用いて、歪情報を生成する歪情報生成処理を行う。この歪情報生成処理の詳細は、後述する図２１を参照して説明する。
【０１３３】
ステップＳ１０７において、ＢＣＨ符号復号部３１７は、ＰＬＳコード復号部３１４から供給されるＰＬＳコードに基づいて、ＬＤＰＣ符号復号部３１５から供給されるデータをＢＣＨ符号復号し、復号結果をエネルギー逆拡散部３１８に供給する。
【０１３４】
ステップＳ１０８において、エネルギー逆拡散部３１８は、ＢＣＨ符号復号部３１７から供給される復号結果をエネルギー逆拡散し、出力する。
【０１３５】
以上の処理は、ステップＳ１０９において処理の終了が指示されたと判定されるまで繰り返される。
【０１３６】
図２１は、図２０のステップＳ１０６の歪情報生成処理の詳細を説明するフローチャートである。
【０１３７】
図２１のステップＳ１３１において、歪情報生成部３１６のＲＡＭ４０１（図１９）は、等化部３１３から供給される、ＬＤＰＣ符号復号処理前のＩ信号およびＱ信号を保持する。ステップＳ１３２において、ＲＡＭ４０２は、ＬＤＰＣ符号復号部３１５から供給される、ＬＤＰＣ符号復号処理後のデータを保持する。
【０１３８】
ステップＳ１３３において、変調部４０３は、ＲＡＭ４０２に保持されているＬＤＰＣ符号復号処理後のデータを読み出し、ＰＬＳコード復号部３１４から供給されるＰＬＳコードに含まれる変調方式で変調して、変調信号を生成する。変調部４０３は、生成された変調信号を平均化部４０４に供給する。
【０１３９】
ステップＳ１３４において、平均化部４０４は、ＰＬＳコードに含まれる変調方式および変調信号の信号点配置ごとに、その変調信号と同時刻の、ＲＡＭ４０１から読み出されたＬＤＰＣ符号復号処理前のＩ信号およびＱ信号を平均化し、平均信号を生成する。
【０１４０】
ステップＳ１３５において、平均化部４０４は、変調方式ごとに、変調信号の各信号点配置を送信信号の各信号点配置の推定値とし、その信号点配置に対応する平均信号の信号点配置を受信信号の信号点配置として、歪情報を生成する。
【０１４１】
ステップＳ１３６において、平均化部４０４は、生成された歪情報のうちの、現在のＰＬＳコードに含まれる変調方式の歪情報を、直交検波部３１２、等化部３１３、およびＬＤＰＣ符号復号部３１５に供給する。
【０１４２】
これにより、直交検波部３１２の記憶部３５４（図１６）に記憶される歪情報が更新され、硬判定部３７３（図１７）の判定に用いられる歪情報が更新され、ＬＤＰＣ符号復号部３１５の尤度テーブル生成部３８１（図１８）は、尤度テーブルを更新する。そして、処理は、図２０のステップＳ１０６に戻り、ステップＳ１０７に進む。
【０１４３】
以上のように、受信装置１１２は、受信信号のＬＤＰＣ符号復号処理後のデータを変調して変調信号を生成し、変調信号の信号点配置ごとに、その変調信号と同時刻のＬＤＰＣ符号復号処理前のＩ信号およびＱ信号を平均化することにより、歪情報を生成する。即ち、受信装置１１２は、ＬＤＰＣ符号復号処理後のデータを変調した結果得られる変調信号を、データ区間と同一の信号点配置の既知信号の送信信号の代わりに用いて、歪情報を生成する。これにより、データ区間と同一の信号点配置の既知信号を含まない受信信号の非線形歪を補償し、受信性能を向上させることができる。
【０１４４】
例えば、受信装置１１２は、歪情報に基づいて位相誤差検出時に非線形歪を補償することにより、位相同期性能を向上させ、位相同期を高速化することができる。また、受信装置１１２は、歪情報に基づいて等化処理における硬判定時に非線形歪を補償することにより、等化性能を向上させることができる。さらに、受信装置１１２は、歪情報に基づいてＬＤＰＣ符号復号処理に用いられる尤度テーブルの生成時に非線形歪を補償することにより、誤り訂正性能を向上させることができる。
【０１４５】
なお、ＬＤＰＣ符号復号部３１５は、ＬＤＰＣ符号復号処理の成功を判定するようにしてもよい。この場合、歪情報生成部３１６は、変調方式および変調信号の信号点配置ごとに、その変調信号に対応するＬＤＰＣ符号復号処理前のＩ信号およびＱ信号のうちの、ＬＤＰＣ符号復号処理に成功したデータのＬＤＰＣ符号復号処理前のＩ信号およびＱ信号のみを平均化し、平均信号を生成する。これにより、歪情報をより正確に生成することができる。
【０１４６】
また、等化部３１３は、フィードフォワードフィルタとフィードバックフィルタの両方を用いるＤＦＥではなく、フィードフォワードフィルタのみを用いる線形等化器であってもよい。この場合、等化部３１３は、歪情報に基づいて等化誤差検出を行う。
【０１４７】
＜第２実施の形態＞
（受信装置の第２実施の形態の構成例）
本開示を適用した送受信システムの第２実施の形態は、衛星デジタルテレビ放送の放送信号がARIB STD-B44規格の伝送フォーマットの信号である点を除いて、第１実施の形態と同様である。以下では、送受信システムの第２実施の形態における受信装置についてのみ詳細に説明する。
【０１４８】
図２２は、本開示を適用した送受信システムの第２実施の形態における受信装置の構成例を示すブロック図である。
【０１４９】
図２２に示す構成のうち、図１５の構成と同じ構成には同じ符号を付してある。重複する説明については適宜省略する。
【０１５０】
図２２の受信装置４２０の構成は、受信信号がARIB STD-B44規格の伝送フォーマットの信号である点、ＰＬＳコード復号部３１４、歪情報生成部３１６、ＢＣＨ符号復号部３１７、エネルギー逆拡散部３１８の代わりに、ＴＭＣＣ復号部４２１、歪情報生成部４２２、ＢＣＨ符号復号部４２４、エネルギー逆拡散部４２３が設けられる点が、図１５の受信装置１１２の構成と異なる。
【０１５１】
受信装置４２０のＴＭＣＣ復号部４２１は、等化部３１３から供給されるＩ信号とＱ信号から、受信信号内のデータ区間の変調方式などを含むＴＭＣＣ情報を復号する。ＴＭＣＣ復号部４２１は、復号結果を、歪情報生成部４２２とＢＣＨ符号復号部４２４に供給する。
【０１５２】
歪情報生成部４２２は、ＬＤＰＣ符号復号部３１５から供給されるＬＤＰＣ符号復号処理後のデータのうちの、伝送信号点配置信号の区間以外のデータ区間（以下、伝送信号点配置信号外区間という）のデータを、ＴＭＣＣ情報に含まれる変調方式で変調し、変調信号を生成する。
【０１５３】
歪情報生成部４２２は、ＴＭＣＣ情報に含まれる変調方式および変調信号の信号点配置ごとに、その変調信号と同時刻の伝送信号点配置信号外区間のＬＤＰＣ符号復号処理前のＩ信号およびＱ信号と、その信号点配置の伝送信号点配置信号のＬＤＰＣ符号復号処理前のＩ信号およびＱ信号とを平均化し、平均信号を生成する。
【０１５４】
歪情報生成部４２２は、変調方式ごとに、変調信号の各信号点配置を送信信号の各信号点配置の推定値とし、その信号点配置に対応する平均信号の信号点配置を受信信号の信号点配置として、歪情報を生成する。歪情報生成部４２２は、現在のＴＭＣＣ情報に含まれる変調方式の歪情報を、直交検波部３１２、等化部３１３、およびＬＤＰＣ符号復号部３１５に供給する。
【０１５５】
エネルギー逆拡散部４２３は、ＬＤＰＣ符号復号部３１５から供給されるデータをエネルギー逆拡散し、ＢＣＨ符号復号部４２４に供給する。
【０１５６】
ＢＣＨ符号復号部４２４は、ＴＭＣＣ復号部４２１から供給されるＴＭＣＣ情報に基づいて、エネルギー逆拡散部４２３から供給されるデータをＢＣＨ符号復号し、復号結果を出力する。
【０１５７】
（歪情報生成部の構成例）
図２３は、図２２の歪情報生成部４２２の構成例を示すブロック図である。
【０１５８】
図２３に示す構成のうち、図１９の構成と同じ構成には同じ符号を付してある。重複する説明については適宜省略する。
【０１５９】
図２３の歪情報生成部４２２の構成は、ＲＡＭ４０１，ＲＡＭ４０２、平均化部４０４が、ＲＡＭ４４０、ＲＡＭ４４１、平均化部４４２に代わる点が、図１９の歪情報生成部３１６の構成と異なる。
【０１６０】
歪情報生成部４２２のＲＡＭ４４０は、図２２の等化部３１３から供給されるＬＤＰＣ符号復号処理前のＩ信号およびＱ信号のうちの、伝送信号点配置信号外区間のＩ信号およびＱ信号を保持する。ＲＡＭ４４１は、ＬＤＰＣ符号復号部３１５から供給されるＬＤＰＣ符号復号処理後のデータのうちの、伝送信号点配置信号外区間のデータを保持する。
【０１６１】
平均化部４４２は、等化部３１３から供給される伝送信号点配置信号の区間のＩ信号およびＱ信号を、ＴＭＣＣ情報に含まれる変調方式、および、その伝送信号点配置信号の信号点配置に対応する、Ｉ信号およびＱ信号とする。なお、伝送信号点配置信号の区間の変調方式は、伝送信号点配置信号外区間の変調方式と同一であるため、伝送信号点配置信号の各信号点配置は、変調信号の各信号点配置と同一である。
【０１６２】
また、平均化部４４２は、ＲＡＭ４４０から伝送信号点配置信号外区間のＩ信号とＱ信号を読み出す。平均化部４４２は、読み出された伝送信号点配置信号外区間のＩ信号およびＱ信号を、ＴＭＣＣ情報に含まれる変調方式、および、そのＩ信号およびＱ信号と同時刻の変調信号の信号点配置に対応する、Ｉ信号およびＱ信号とする。
【０１６３】
平均化部４４２は、変調方式および変調信号の信号点配置ごとに、対応するＩ信号とＱ信号を平均化し、平均信号を生成する。平均化部４４２は、変調方式ごとに、変調信号の各信号点配置を送信信号の各信号点配置の推定値とし、その信号点配置に対応する平均信号の信号点配置を受信信号の信号点配置として、歪情報を生成する。
【０１６４】
平均化部４４２は、生成された歪情報のうちの、現在のＴＭＣＣ情報に含まれる変調方式の歪情報を、図２２の直交検波部３１２、等化部３１３、およびＬＤＰＣ符号復号部３１５に供給する。
【０１６５】
（受信装置の処理の説明）
図２２の受信装置４２０の受信処理は、ステップＳ１０４でＰＬＳコードの代わりにＴＭＣＣ情報が復号される点、ステップＳ１０７の処理とステップＳ１０８の処理の順序が逆である点、および、ステップＳ１０６の歪情報生成処理を除いて、図２０の受信処理と同様である。従って、以下では、歪情報生成処理についてのみ説明する。
【０１６６】
図２４は、受信装置４２０の歪情報生成部４２２（図２３）の歪情報生成処理の詳細を説明するフローチャートである。
【０１６７】
図２４のステップＳ１５１において、歪情報生成部４２２は、ＬＤＰＣ符号復号部３１５から供給されるＬＤＰＣ符号復号処理後のデータが、伝送信号点配置信号の区間のデータであるかどうかを判定する。
【０１６８】
ステップＳ１５１で伝送信号点配置信号の区間のデータであると判定された場合、ステップＳ１５２において、歪情報生成部４２２の平均化部４４２は、等化部３１３から供給される、そのデータのＬＤＰＣ符号復号処理前のＩ信号およびＱ信号を、その伝送信号点配置信号の信号点配置、および、ＴＭＣＣ情報に含まれる変調方式に対応する、Ｉ信号およびＱ信号とする。そして、処理はステップＳ１５７に進む。
【０１６９】
一方、ステップＳ１５１で伝送信号点配置信号の区間のデータではないと判定された場合、ステップＳ１５３において、ＲＡＭ４４０は、等化部３１３から供給されるＬＤＰＣ符号復号処理前のＩ信号およびＱ信号を保持する。
【０１７０】
ステップＳ１５４において、ＲＡＭ４４１は、ＬＤＰＣ符号復号部３１５から供給されるＬＤＰＣ符号復号処理後のデータを保持する。
【０１７１】
ステップＳ１５５において、変調部４０３は、ＲＡＭ４４１に保持されているＬＤＰＣ符号復号処理後のデータを読み出し、ＴＭＣＣ情報に含まれる変調方式で変調して、変調信号を生成する。変調部４０３は、生成された変調信号を平均化部４４２に供給する。
【０１７２】
ステップＳ１５６において、平均化部４４２は、ＲＡＭ４４１から読み出されたデータのＬＤＰＣ符号復号処理前のＩ信号およびＱ信号をＲＡＭ４４０から読み出し、変調部４０３から供給される変調信号の信号点配置、および、ＴＭＣＣ情報に含まれる変調方式に対応する、Ｉ信号およびＱ信号とする。
【０１７３】
ステップＳ１５７において、平均化部４４２は、変調方式および変調信号の信号点配置ごとに、ステップＳ１５５およびステップＳ１５６で、その変調方式および信号点配置に対応するＩ信号およびＱ信号とされたＩ信号およびＱ信号を平均化し、平均信号を生成する。ステップＳ１５８およびＳ１５９の処理は、ＰＬＳコードがＴＭＣＣ情報に代わる点を除いて、図２１のステップＳ１３５およびＳ１３６の処理と同様であるので、説明は省略する。
【０１７４】
以上のように、受信装置４２０は、変調信号の信号点配置ごとに、その変調信号と同時刻の未知信号のＬＤＰＣ符号復号処理前のＩ信号およびＱ信号と、その信号点配置の伝送信号点配置信号のＬＤＰＣ符号復号処理前のＩ信号およびＱ信号とを平均化し、歪情報を生成する。従って、受信装置４２０は、伝送信号点配置信号の受信信号のみを用いて歪情報を生成する場合に比べて、高速に歪情報を生成することができる。
【０１７５】
即ち、ARIB STD-B44規格の伝送フォーマットでは、送信信号全体における伝送信号点配置信号の割合が少ないため、伝送信号点配置信号の受信信号に対応するＩ信号およびＱ信号の平均化には多くの時間（例えば２秒以上）を要する。従って、チャンネルの選択が行われてから正常な復号結果が出力されるまでのチャンネル選局時間が長くなる。
【０１７６】
これに対して、受信装置４２０は、伝送信号点配置信号の受信信号だけでなく、データ区間の未知信号の受信信号に対応するＩ信号およびＱ信号も平均化に用いるため、平均化に必要な数のＩ信号およびＱ信号を高速に取得することができる。その結果、歪情報を高速に生成することができ、チャンネル選局時間を短縮することができる。
【０１７７】
＜第３実施の形態＞
（本開示を適用したコンピュータの説明）
上述した一連の処理は、ハードウエアにより実行することもできるし、ソフトウエアにより実行することもできる。一連の処理をソフトウエアにより実行する場合には、そのソフトウエアを構成するプログラムが、コンピュータにインストールされる。ここで、コンピュータには、専用のハードウエアに組み込まれているコンピュータや、各種のプログラムをインストールすることで、各種の機能を実行することが可能な、例えば汎用のパーソナルコンピュータなどが含まれる。
【０１７８】
図２５は、上述した一連の処理をプログラムにより実行するコンピュータのハードウエアの構成例を示すブロック図である。
【０１７９】
コンピュータ９００において、CPU（Central Processing Unit）９０１，ROM（Read Only Memory）９０２，RAM（Random Access Memory）９０３は、バス９０４により相互に接続されている。
【０１８０】
バス９０４には、さらに、入出力インタフェース９０５が接続されている。入出力インタフェース９０５には、入力部９０６、出力部９０７、記憶部９０８、通信部９０９、及びドライブ９１０が接続されている。
【０１８１】
入力部９０６は、キーボード、マウス、マイクロフォンなどよりなる。出力部９０７は、ディスプレイ、スピーカなどよりなる。記憶部９０８は、ハードディスクや不揮発性のメモリなどよりなる。通信部９０９は、ネットワークインタフェースなどよりなる。ドライブ９１０は、磁気ディスク、光ディスク、光磁気ディスク、又は半導体メモリなどのリムーバブルメディア９１１を駆動する。
【０１８２】
以上のように構成されるコンピュータ９００では、CPU９０１が、例えば、記憶部９０８に記憶されているプログラムを、入出力インタフェース９０５及びバス９０４を介して、RAM９０３にロードして実行することにより、上述した一連の処理が行われる。
【０１８３】
コンピュータ９００（CPU９０１）が実行するプログラムは、例えば、パッケージメディア等としてのリムーバブルメディア９１１に記録して提供することができる。また、プログラムは、ローカルエリアネットワーク、インターネット、デジタル衛星放送といった、有線または無線の伝送媒体を介して提供することができる。
【０１８４】
コンピュータ９００では、プログラムは、リムーバブルメディア９１１をドライブ９１０に装着することにより、入出力インタフェース９０５を介して、記憶部９０８にインストールすることができる。また、プログラムは、有線または無線の伝送媒体を介して、通信部９０９で受信し、記憶部９０８にインストールすることができる。その他、プログラムは、ROM９０２や記憶部９０８に、あらかじめインストールしておくことができる。
【０１８５】
なお、コンピュータ９００が実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０１８６】
また、本明細書において、システムとは、複数の構成要素（装置、モジュール（部品）等）の集合を意味し、すべての構成要素が同一筐体中にあるか否かは問わない。したがって、別個の筐体に収納され、ネットワークを介して接続されている複数の装置、及び、１つの筐体の中に複数のモジュールが収納されている１つの装置は、いずれも、システムである。
【０１８７】
さらに、本明細書に記載された効果はあくまで例示であって限定されるものではなく、他の効果があってもよい。
【０１８８】
また、本開示の実施の形態は、上述した実施の形態に限定されるものではなく、本開示の要旨を逸脱しない範囲において種々の変更が可能である。
【０１８９】
例えば、第１乃至第３実施の形態では、位相誤差検出時、等化処理における硬判定時、およびＬＤＰＣ符号復号処理に用いられる尤度テーブルの生成時の全てにおいて、歪情報に基づく非線形歪の補償が行われたが、少なくとも１つにおいて行われればよい。
【０１９０】
また、第２実施の形態において、第１実施の形態と同様に、ＬＤＰＣ符号復号部３１５が、ＬＤＰＣ符号復号処理の成功を判定するようにしてもよい。この場合、歪情報生成部４２２は、伝送信号点配置信号外区間のＬＤＰＣ符号復号処理前のＩ信号およびＱ信号のうちの、ＬＤＰＣ符号復号処理に成功したデータに対応するもののみを平均化に用いる。
【０１９１】
なお、本開示は、以下のような構成もとることができる。
【０１９２】
（１）
受信信号の誤り訂正後のデータを変調し、変調信号を生成する変調部と、
前記変調信号の信号点配置ごとに、その変調信号と同時刻の誤り訂正前の前記受信信号を平均化することにより、各信号点配置の変調信号に対する歪を表す歪情報を生成する平均化部と
を備える受信装置。
（２）
前記歪情報に基づいて前記受信信号の軟判定を行う軟判定部
をさらに備える
前記（１）に記載の受信装置。
（３）
前記歪情報に基づいて、前記誤り訂正に用いられる尤度テーブルを生成する尤度テーブル生成部
をさらに備え、
前記軟判定部は、前記尤度テーブル生成部により生成された前記尤度テーブルを用いて、前記受信信号に対して前記誤り訂正を行い、前記データを生成する
ように構成された
前記（２）に記載の受信装置。
（４）
前記歪情報に基づいて前記受信信号の硬判定を行う硬判定部
をさらに備える
前記（１）乃至（３）のいずれかに記載の受信装置。
（５）
前記硬判定部による前記硬判定の結果を用いて、前記受信信号の位相誤差検出を行う位相差検出部
をさらに備える
前記（４）に記載の受信装置。
（６）
前記硬判定部は、前記歪情報に基づいて、等化処理後の前記受信信号の硬判定を行う
ように構成された
前記（４）または（５）に記載の受信装置。
（７）
前記平均化部は、前記変調信号の信号点配置ごとに、その変調信号と同時刻の誤り訂正前の前記受信信号のうちの、前記誤り訂正に成功した前記データの誤り訂正前の前記受信信号を平均化する
ように構成された
前記（１）乃至（６）のいずれかに記載の受信装置。
（８）
前記平均化部は、前記変調信号の信号点配置ごとに、その変調信号と同時刻の未知信号の誤り訂正前の前記受信信号と、その信号点配置の既知信号の誤り訂正前の前記受信信号とを平均化する
ように構成された
前記（１）乃至（７）のいずれかに記載の受信装置。
（９）
受信装置が、
受信信号の誤り訂正後のデータを変調し、変調信号を生成する変調ステップと、
前記変調信号の信号点配置ごとに、その変調信号と同時刻の誤り訂正前の前記受信信号を平均化することにより、各信号点配置の変調信号に対する歪を表す歪情報を生成する歪情報生成ステップと
を含む受信方法。
（１０）
コンピュータを、
受信信号の誤り訂正後のデータを変調し、変調信号を生成する変調部と、
前記変調信号の信号点配置ごとに、その変調信号と同時刻の誤り訂正前の前記受信信号を平均化することにより、各信号点配置の変調信号に対する歪を表す歪情報を生成する平均化部と
して機能させるためのプログラム。
【符号の説明】
【０１９３】
１１２  受信装置,  ３５５  位相誤差検出部,  ３７３  硬判定部,  ３８１  尤度テーブル生成部,  ３８３  復号部,  ４０３  変調部,  ４０４  平均化部,  ４２０  受信装置,  ４４１  平均化部
【図１】
0006601406.tif 000002
【図２】
0006601406.tif 000003
【図３】
0006601406.tif 000004
【図４】
0006601406.tif 000005
【図５】
0006601406.tif 000006
【図６】
0006601406.tif 000007
【図７】
0006601406.tif 000008
【図８】
0006601406.tif 000009
【図９】
0006601406.tif 000010
【図１０】
0006601406.tif 000011
【図１１】
0006601406.tif 000012
【図１２】
0006601406.tif 000013
【図１３】
0006601406.tif 000014
【図１４】
0006601406.tif 000015
【図１５】
0006601406.tif 000016
【図１６】
0006601406.tif 000017
【図１７】
0006601406.tif 000018
【図１８】
0006601406.tif 000019
【図１９】
0006601406.tif 000020
【図２０】
0006601406.tif 000021
【図２１】
0006601406.tif 000022
【図２２】
0006601406.tif 000023
【図２３】
0006601406.tif 000024
【図２４】
0006601406.tif 000025
【図２５】
0006601406.tif 000026